(57)【要約】無線通信ネットワーク中で特定の複数の利用者の機器（ＵＥs ）をアドレス指定するために用いられた仮の複数の認証（ＩＤs ）を引き出すことに関する技術が説明される。ネットワークの要素においては、あるＵＥに割り当てられた第１のＩＤおよび、例えば、塩の価値や、随意的には、当該ＵＥに関する共有された秘密のデータのような付加的な情報は、当該ＵＥ向けの第２のＩＤを得るために変換される。当該第１のＩＤおよび／または当該共有された秘密のデータは、例えば、信号方式のメッセージが当該ＵＥに送られる度に更新されてもよい。当該ＵＥに宛てられた信号方式のメッセージは、当該第２のＩＤに基づいて発生させられ、そして共通のチャンネルを経由して送られる。当該ＵＥにおいては、メッセージは当該共通のチャンネルを経由して受信される。当該第１のＩＤおよび、例えば、当該受信したメッセージから得られた塩の価値や、随意的には、当該ＵＥに関する共有された秘密のデータのような付加的な情報は、当該第２のＩＤを得るために変換され、当該第２のＩＤは当該受信したメッセージが当該ＵＥについて指定されるかどうかを決定するために用いられる。
2009526334.tif 000002
【特許請求の範囲】
【請求項１】
利用者の機器（ＵＥ）に割り当てられた第１の認証（ＩＤ）および付加的な情報を前記ＵＥに関する第２のＩＤを得るために変換するため、前記第２のＩＤに基づいて前記ＵＥに宛てられた信号方式のメッセージを発生させるため、そして前記ＵＥおよび他の複数のＵＥs によって共有された共通のチャンネルを経由して前記信号方式のメッセージを送信するために構成されたプロセッサーと、
前記プロセッサーに結合されたメモリーと、
を具備する装置。
【請求項２】
前記第２のＩＤは、前記信号方式のメッセージについて前記ＵＥを唯一つにアドレス指定するために用いられる請求項１の装置。
【請求項３】
前記プロセッサーは、前記第１のＩＤを前記ＵＥに割り当てるために構成される請求項１の装置。
【請求項４】
前記プロセッサーは、第２のネットワーク要素によって前記ＵＥに割り当てられた前記第１のＩＤに関する情報を第１のネットワーク要素において受信するために構成される請求項１の装置。
【請求項５】
前記第１のＩＤは、無線通信ネットワーク中の多数のセルのいたる所に適用可能である請求項１の装置。
【請求項６】
前記付加的な情報は塩の価値を備え、そして前記プロセッサーは前記第２のＩＤを得るために前記第１のＩＤおよび前記塩の価値をハッシュ（hash）するために構成される請求項１の装置。
【請求項７】
前記付加的な情報は前記ＵＥに関する共有された秘密のデータを備え、そして前記プロセッサーは前記第２のＩＤを得るために前記第１のＩＤおよび前記ＵＥに関する前記共有された秘密のデータを変換するために構成される請求項１の装置。
【請求項８】
前記付加的な情報は塩の価値および前記ＵＥに関する共有された秘密のデータを備え、そして前記プロセッサーは前記第２のＩＤを得るために前記第１のＩＤ、前記ＵＥに関する前記共有された秘密のデータ、および前記塩の価値を変換するために構成される請求項１の装置。
【請求項９】
前記プロセッサーは、前記第１のＩＤ、または前記共有された秘密のデータ、または前記第１のＩＤおよび前記共有された秘密のデータの両方を更新するために構成される請求項７の装置。
【請求項１０】
前記プロセッサーは、前記ＵＥに向けて各信号方式のメッセージが送信された後に、前記第１のＩＤ、前記共有された秘密のデータ、または前記第１のＩＤおよび前記共有された秘密のデータの両方を更新するために構成される請求項７の装置。
【請求項１１】
前記プロセッサーは、もし前記第１のＩＤの同期化の失敗が検出されるならば、前の第１のＩＤおよび前記付加的な情報を変換し、そしてもし同期化の失敗が検出されないならば、現在の第１のＩＤおよび前記付加的な情報を変換するために構成される請求項９の装置。
【請求項１２】
前記プロセッサーは、もし前記第１のＩＤの同期化の失敗が検出されるならば、前記信号方式のメッセージ中にフラッグを設定するために構成される請求項９の装置。
【請求項１３】
前記プロセッサーは、信号方式の情報、前記第２のＩＤ、および前記塩の価値を含ませるために前記信号方式のメッセージを発生させるために構成される請求項６の装置。
【請求項１４】
前記信号方式のメッセージは、スケジューリングメッセージまたはページングメッセージである請求項１の装置。
【請求項１５】
利用者の機器（ＵＥ）に割り当てられた第１の認証（ＩＤ）および付加的な情報を前記ＵＥに関する第２のＩＤを得るために変換することと、
前記第２のＩＤに基づいて前記ＵＥに宛てられた信号方式のメッセージを発生させることと、
前記ＵＥおよび他の複数のＵＥs によって共有された共通のチャンネルを経由して前記信号方式のメッセージを送信することと、
を具備する方法。
【請求項１６】
前記付加的な情報は前記ＵＥに関する共有された秘密のデータを備え、そして前記第１のＩＤの前記変換は前記第２のＩＤを得るために前記第１のＩＤおよび前記ＵＥに関する前記共有された秘密のデータを変換することを備える請求項１５の方法。
【請求項１７】
前記付加的な情報は塩の価値および前記ＵＥに関する共有された秘密のデータを備え、そして前記第１のＩＤの前記変換は前記第２のＩＤを得るために前記第１のＩＤ、前記ＵＥに関する前記共有された秘密のデータ、および前記塩の価値を変換することを備える請求項１５の方法。
【請求項１８】
前記第１のＩＤ、または前記共有された秘密のデータ、または前記第１のＩＤおよび前記共有された秘密のデータの両方を更新すること、をさらに備える請求項１６の方法。
【請求項１９】
利用者の機器（ＵＥ）に割り当てられた第１の認証（ＩＤ）および付加的な情報を前記ＵＥに関する第２のＩＤを得るために変換するための手段と、
前記第２のＩＤに基づいて前記ＵＥに宛てられた信号方式のメッセージを発生させるための手段と、
前記ＵＥおよび他の複数のＵＥs によって共有された共通のチャンネルを経由して前記信号方式のメッセージを送信するための手段と、
を具備する装置。
【請求項２０】
前記付加的な情報は前記ＵＥに関する共有された秘密のデータを備え、そして前記第１のＩＤを変換するための前記手段は前記第２のＩＤを得るために前記第１のＩＤおよび前記ＵＥに関する前記共有された秘密のデータを変換するための手段を備える請求項１９の装置。
【請求項２１】
利用者の機器（ＵＥ）に割り当てられた第１の認証（ＩＤ）および付加的な情報を前記ＵＥに関する第２のＩＤを得るために変換するための第１の命令セットと、
前記第２のＩＤに基づいて前記ＵＥに宛てられた信号方式のメッセージを発生させるための第２の命令セットと、
前記ＵＥおよび他の複数のＵＥs によって共有された共通のチャンネルを経由して前記信号方式のメッセージを送信するための第３の命令セットと、
を具備する、その上に格納された複数の命令を含んでいるコンピューターに読み取り可能な媒体。
【請求項２２】
前記付加的な情報は前記ＵＥに関する共有された秘密のデータを備え、そして前記第１の命令セットは前記第２のＩＤを得るために前記第１のＩＤおよび前記ＵＥに関する前記共有された秘密のデータを変換するためのものである請求項２１のコンピューターに読み取り可能な媒体。
【請求項２３】
複数の利用者の機器（ＵＥs ）によって共有された共通のチャンネルを経由してメッセージを受信するため、ＵＥに割り当てられた第１の認証（ＩＤ）および付加的な情報を前記ＵＥに関する第２のＩＤを得るために変換するため、そして前記受信したメッセージが前記ＵＥについて指定されるのかどうかを前記第２のＩＤに基づいて決定するために構成されたプロセッサーと、
前記プロセッサーに結合されたメモリーと、
を具備する装置。
【請求項２４】
前記プロセッサーは、第１のネットワーク要素から前記第１のＩＤの割り当てを受信するため、そして第２のネットワーク要素から前記メッセージを受信するために構成される請求項２３の装置。
【請求項２５】
前記プロセッサーは、前記第１のＩＤの割り当ておよび前記メッセージを単一のネットワーク要素から受信するために構成される請求項２３の装置。
【請求項２６】
前記付加的な情報は塩の価値を備え、そして前記プロセッサーは前記受信したメッセージから前記塩の価値を得るため、そして前記第２のＩＤを得るために前記第１のＩＤおよび前記塩の価値をハッシュ（hash）するために構成される請求項２３の装置。
【請求項２７】
前記付加的な情報は前記ＵＥに関する共有された秘密のデータを備え、そして前記プロセッサーは前記第２のＩＤを得るために前記第１のＩＤおよび前記ＵＥに関する前記共有された秘密のデータを変換するために構成される請求項２３の装置。
【請求項２８】
前記付加的な情報は塩の価値および前記ＵＥに関する共有された秘密のデータを備え、そして前記プロセッサーは前記受信したメッセージから前記塩の価値を得るため、そして前記第２のＩＤを得るために前記第１のＩＤ、前記ＵＥに関する前記共有された秘密のデータ、および前記塩の価値を変換するために構成される請求項２３の装置。
【請求項２９】
前記プロセッサーは、前記第１のＩＤ、または前記共有された秘密のデータ、または前記第１のＩＤおよび前記共有された秘密のデータの両方を更新するために構成される請求項２７の装置。
【請求項３０】
前記プロセッサーは、前記ＵＥについて指定されたメッセージの各受信の後に、前記第１のＩＤ、前記共有された秘密のデータ、または前記第１のＩＤおよび前記共有された秘密のデータの両方を更新するために構成される請求項２７の装置。
【請求項３１】
前記プロセッサーは、前記受信したメッセージ中のフラッグに基づいて、前の第１のＩＤまたは現在の第１のＩＤを変換するために構成される請求項２９の装置。
【請求項３２】
前記プロセッサーは、前の第２のＩＤを得るために前の第１のＩＤおよび前記付加的な情報を変換するため、そして前記受信したメッセージが前記ＵＥを指定されるのかどうかを前記前の第２のＩＤに基づいて決定するため、そしてもし前記受信したメッセージが前記前の第２のＩＤに一致しないならば、現在の第２のＩＤを得るために現在の第１のＩＤおよび前記付加的な情報を変換するため、そして前記受信したメッセージが前記ＵＥについて指定されるのかどうかを前記現在の第２のＩＤに基づいて決定するために構成される請求項２９の装置。
【請求項３３】
前記プロセッサーは、現在の第２のＩＤを得るために現在の第１のＩＤおよび前記付加的な情報を変換するため、そして前記受信したメッセージが前記ＵＥについて指定されるのかどうかを前記現在の第２のＩＤに基づいて決定するため、そしてもし前記受信したメッセージが前記現在の第２のＩＤに一致しないならば、前の第２のＩＤを得るために前の第１のＩＤおよび前記付加的な情報を変換するため、そして前記受信したメッセージが前記ＵＥについて指定されるのかどうかを前記前の第２のＩＤに基づいて決定するために構成される請求項２９の装置。
【請求項３４】
前記プロセッサーは、前記受信したメッセージから第３のＩＤを得るため、そして前記受信したメッセージが前記ＵＥについて指定されるのかどうかを決定するために前記第２のＩＤと前記第３のＩＤとを比較するために構成される請求項２３の装置。
【請求項３５】
前記プロセッサーは、前記受信したメッセージが前記ＵＥについて指定されることを決定するため、前記受信したメッセージからスケジューリング情報を得るため、そして前記スケジューリング情報に基づいてデータ伝送を処理するために構成される請求項２３の装置。
【請求項３６】
複数の利用者の機器（ＵＥs ）によって共有された共通のチャンネルを経由してメッセージを受信することと、
ＵＥに割り当てられた第１の認証（ＩＤ）および付加的な情報を前記ＵＥに関する第２のＩＤを得るために変換することと、
前記受信したメッセージが前記ＵＥについて指定されるのかどうかを前記第２のＩＤに基づいて決定することと、
を具備する方法。
【請求項３７】
前記付加的な情報は前記ＵＥに関する共有された秘密のデータを備え、そして前記第１のＩＤの変換は前記第２のＩＤを得るための前記第１のＩＤおよび前記ＵＥに関する前記共有された秘密のデータの変換を備える請求項３６の方法。
【請求項３８】
前記付加的な情報は塩の価値および前記ＵＥに関する共有された秘密のデータを備え、そして前記第１のＩＤの変換は前記第２のＩＤを得るための前記第１のＩＤ、前記ＵＥに関する前記共有された秘密のデータ、および前記受信したメッセージからの前記塩の価値の変換を備える請求項３６の方法。
【請求項３９】
前記第１のＩＤ、または前記共有された秘密のデータ、または前記第１のＩＤおよび前記共有された秘密のデータの両方を更新すること、をさらに備える請求項３７の方法。
【請求項４０】
複数の利用者の機器（ＵＥs ）によって共有された共通のチャンネルを経由してメッセージを受信するための手段と、
ＵＥに割り当てられた第１の認証（ＩＤ）および付加的な情報を前記ＵＥに関する第２のＩＤを得るために変換するための手段と、
前記受信したメッセージが前記ＵＥについて指定されるのかどうかを前記第２のＩＤに基づいて決定するための手段と、
を具備する装置。
【請求項４１】
前記付加的な情報は前記ＵＥに関する共有された秘密のデータを備え、そして前記第１のＩＤを変換するための手段は前記第２のＩＤを得るために前記第１のＩＤおよび前記ＵＥに関する前記共有された秘密のデータの変換するための手段を備える請求項４０の装置。
【請求項４２】
複数の利用者の機器（ＵＥs ）によって共有された共通のチャンネルを経由してメッセージを受信するための第１の命令セットと、
ＵＥに割り当てられた第１の認証（ＩＤ）および付加的な情報を前記ＵＥに関する第２のＩＤを得るために変換するための第２の命令セットと、
前記受信したメッセージが前記ＵＥについて指定されるのかどうかを前記第２のＩＤに基づいて決定するための第３の命令セットと、
を具備する、その上に格納された複数の命令を含んでいるコンピューターに読み取り可能な媒体。
【請求項４３】
前記付加的な情報は前記ＵＥに関する共有された秘密のデータを備え、そして前記第２の命令セットは前記第２のＩＤを得るために前記第１のＩＤおよび前記ＵＥに関する前記共有された秘密のデータを変換するためのものである請求項４２のコンピューターに読み取り可能な媒体。
【発明の詳細な説明】
【技術分野】
【０００１】
本願の開示内容は通信全般に係り、より具体的には仮認証を用いる信号方式の送信についての技術に関する。
【背景技術】
【０００２】
無線通信ネットワークは、音声、ビデオ、パケットデータ、メッセージ、放送等のような様々な通信サービスを提供するために広く展開されている。無線通信ネットワークは、多くの利用者（ユーザー）の複数の機器（ＵＥs ）と通信できるように多数のノードＢs （または基地局）を含んでいてもよい。当該複数のＵＥs には、様々な目的のために、これらの複数のＵＥs を独自に識別するために用いられた様々な識別子（識別名）または複数の認証（ＩＤs ）を割り当てられてもよい。ある事例では、当該複数のＵＥ ＩＤs は、いかなる暗号も用いずに平文で放送されてもよい。これは、盗聴者や攻撃者に対して、メッセージ用の通信チャンネルをモニタリングすること、およびどのメッセージが当該同じＵＥに時間外に宛てられるかを決定することによって、リンク機能への攻撃の準備を可能ならしめる場合がある。当該リンク機能への攻撃は、特定の複数のＵＥs へのメッセージにはリンクすることが可能であるかもしれないが、当該複数のＵＥs についての当該真の素性を決定することができないかもしれない。当該リンク機能への攻撃は、当該複数のＵＥs の当該位置を突き止めるために用いられる場合があり、また他のより厳しい機密保護（セキュリティ）への攻撃の当該基礎となる場合もある。例えば、当該攻撃者は、どのＵＥ ＩＤが特定のＵＥに割り当てられたのかということを、そのＵＥへのコールを開始すること、および複数のどのＵＥ ＩＤs が略同じ当該時刻に用いられるかを監視することにより、決定することができる場合がある。
【０００３】
このため、当該分野においては、当該複数のＵＥs およびネットワークの要素（entity）に過度の計算の負荷を負わせることなく、リンク機能への攻撃を駆除するための技術が必要とされている。
【発明の開示】
【発明の概要】
【０００４】
本出願は、ともに本出願の譲受人に譲渡され、そして参照により本願明細書中に組み込まれた、２００６年２月１０日に出願された米国仮出願第６０／７７１，９７４号、件名「OBSCURING TEMPORARY USER EQUIPMENT IDENTITIES」、および２００６年３月２７日に出願された米国仮出願第６０／７８６，４６３号、件名「DOWNLINK DATA SCHEDULING WITH OPAQUE UE IDENTITIES IN E-UTRAN」についての優先権を主張するものである。
【０００５】
ここでは、無線通信ネットワークにおいて特定の複数のＵＥs をアドレス指定するために用いられた仮の複数のＩＤs を引き出すための技術が説明される。当該仮の複数のＩＤs は、暗号化することなく当該平文で共通のチャンネルを経由して当該複数のＵＥs に送信された様々なタイプのメッセージについて用いられてもよい。当該技術は、例えばリンク機能への攻撃を未然に防ぐために、セキュリティを改良するために用いられてもよい。
【０００６】
一態様においては、ネットワークの要素（例えば、ノードＢ）において、あるＵＥに割り当てられた第１のＩＤおよび、例えば、塩の価値（a salt value）および／または当該ＵＥに関する共有された秘密のデータのような付加的な情報は、当該ＵＥに関する第２のＩＤを得るために変換されてもよい。当該第１のＩＤは、任意のネットワークの要素によって当該ＵＥに割り当てられるかもしれない長いＵＥ ＩＤであってもよい。当該塩の価値は、いかなる方法において選択されてもよい非静的な価値である。当該共有された秘密のデータは、当該ＵＥおよび当該ネットワークの要素の両方によって知られるどんなデータであってもよい。当該共有された秘密のデータ、例えば、予約（subscription）をするときに当該利用者の家庭のネットワークを用いる準備（provisioning）は、分離された作業（a separate operation）において合意あるいは決定されてもよい。当該第１のＩＤおよび／または当該共有された秘密のデータはまた、例えば、信号方式のメッセージが当該ＵＥに送信されるたびに、更新（アップデート）されてもよい。当該ＵＥに宛てられた信号方式のメッセージは、当該第２のＩＤに基づいて発生させられてもよいし、また信号方式の情報、当該第２のＩＤ、当該塩の価値等を含んでいてもよい。当該信号方式のメッセージはまた、当該第１のＩＤの同期化の失敗（loss）が検出されるときはいつでも設定されてもよいフラッグを含んでもよい。当該信号方式のメッセージは、スケジューリングメッセージ、ページングメッセージ、あるいはその他のメッセージであってよく、また当該ＵＥおよびその他の複数のＵＥs によって共有された共通のチャンネルを経由して送信されてもよい。もし、当該信号方式のメッセージがスケジューリングメッセージであるならば、その際は、データ送信は当該スケジューリングメッセージに含まれたスケジューリング情報に基づいて当該ＵＥに送信されてもよい。
【０００７】
他の態様においては、当該ＵＥにおいて、メッセージは当該共通のチャンネルを経由して受信されてもよい。当該第１のＩＤおよび、例えば、当該受信されたメッセージから得た塩の価値および／または当該ＵＥに関する共有された秘密のデータのような付加的な情報は、当該第２のＩＤを得るために変換されてもよく、この第２のＩＤは当該受信されたメッセージが当該ＵＥについて指定されるかどうかを決定するために用いられてもよい。当該受信されたメッセージは、当該受信されたメッセージ中の当該フラッグ（もしも送信されたとすれば）に依存している前の第１のＩＤまたは最新の第１のＩＤに基づいて一致させられてもよい。もし、当該受信されたメッセージが当該ＵＥについて指定されたスケジューリングメッセージであるならば、その際は、スケジューリング情報は当該受信されたメッセージから得られてもよく、また当該対応するデータ送信は当該スケジューリング情報に基づいて処理されてもよい。当該第１のＩＤおよび／または当該共有された秘密のデータは、例えば、当該ＵＥについて指定された信号方式のメッセージが受信されるたびに、更新されてもよい。再同期化の仕組みは、当該ＵＥおよび当該ネットワークの要素における当該第１のＩＤおよび／または当該共有された秘密のデータの同期化を確実にするために用いられてもよい。
【０００８】
本願の開示内容に係る様々な態様および特徴について、以下にさらに詳細に説明する。
【詳細な説明】
【０００９】
ここで述べられる当該技術は、複数の符号分割多元接続（ＣＤＭＡ）ネットワーク、時分割多元接続（ＴＤＭＡ）ネットワーク、周波数分割多元接続（ＦＤＭＡ）ネットワーク、垂直ＦＤＭＡ（ＯＦＤＭＡ）ネットワーク、シングル−キャリアＦＤＭＡ（ＳＣ−ＦＤＭＡ）ネットワーク等の、様々な無線通信ネットワークのために用いられてもよい。複数の“ネットワーク”および“システム”という当該用語は、しばしば交換可能に用いられる。ＣＤＭＡネットワークは、ユニバーサル地上無線アクセス（ＵＴＲＡ）、発展型ＵＴＲＡ（Ｅ−ＵＴＲＡ）、ｃｄｍａ２０００、等のような無線技術を構築してもよい。ＵＴＲＡは、広帯域ＣＤＭＡ（Ｗ−ＣＤＭＡ）および低チップレート（ＬＣＲ）、ＩＳ−２０００、ＩＳ−９５およびＩＳ−８５６スタンダードをカバーするｃｄｍａ２０００を含む。ＴＤＭＡネットワークは、移動通信用グローバルシステム（ＧＳＭ）のような無線技術を実施してもよい。ＯＦＤＭＡネットワークは、ロング・ターム・エボリューション（ＬＴＥ）、ＩＥＥＥ８０２．２０、Ｆｌａｓｈ−ＯＦＤＭ（Ｒ）、等のような無線技術を構築してもよい。ＵＴＲＡ、Ｅ−ＵＴＲＡ、ＧＳＭ、およびＬＴＥは、“第３世代パートナーシップ・プロジェクト”（３ＧＰＰ）と名づけられた団体からのドキュメントにおいて説明される。ｃｄｍａ２０００は、“第３世代パートナーシップ・プロジェクト２”（３ＧＰＰ２）と名づけられた団体からのドキュメントにおいて説明される。これらの様々な無線技術および標準規格は、当該技術分野において知られている。明確にするために、当該技術に係るある態様がＬＴＥに関して以下説明され、そして以下の当該説明の大部分において３ＧＰＰ技術が用いられる。
【００１０】
図１は、発展型ユニバーサル地上無線アクセスネットワーク（Ｅ−ＵＴＲＡＮ）およびコアネットワーク１４０を含む無線通信ネットワーク１００を示す。当該Ｅ−ＵＴＲＡＮは、多数のノードＢs １１０およびシステムコントローラー１３０を含む。ノードＢは、一般的に当該複数のＵＥs と通信する固定局であり、また発展型のノードＢ（ｅＮｏｄｅＢ）、基地局、アクセスポイント、等として照会されてもよい。各ノードＢは、特定の地理上の領域に関する通信可能範囲を提供し、またそのカバレッジエリア内に配置された当該複数のＵＥs に関する通信を支援する。“セル”という当該用語は、当該用語が中で用いられる当該状況に依存しているノードＢおよび／またはそのカバレッジエリアを指すことができる。システムコントローラー１３０は、複数のノードＢs １１０につながり、またこれらの複数のノードＢs に関する連係および制御を提供してもよい。システムコントローラー１３０は、単一のネットワーク要素であってもよいし、または、例えば、アクセス・ゲートウェイ（ＡＧＷ）や、無線ネットワークコントローラー（ＲＮＣ）、等のネットワーク要素の集合であってもよい。システムコントローラー１３０はまた、特定のプロトコルおよびアプリケーションのためのメッセージを生じさせて終結させてもよい。コアネットワーク１４０は、パケットルーティング、ユーザー登録、モビリティ・マネージメント、等のような様々な機能を支援する様々なネットワーク要素を含んでもよい。
【００１１】
複数のＵＥs １２０は、ネットワーク１００中のいたるところに分散されてもよく、また各ＵＥは固定式または移動式でもよい。ＵＥはまた、移動局、端末、アクセス端末、加入者ユニット、局、等として照会されてもよい。ＵＥは、セルラー電話、携帯情報端末（ＰＤＡ）、無線装置、ハンドヘルド・デバイス、無線モデム、ラップトップ・コンピューター、等であってもよい。ＵＥは、あらゆる任意の時点において、ダウンリンクおよび／またはアップリンク上の１つ以上のノードＢs と通じてもよい。ダウンリンク（またはフォワードリンク）は複数のノードＢs から複数のＵＥs への通信リンクを指し、またアップリンク（または反転リンク）は複数のＵＥs から複数のノードＢs への通信リンクを指す。
【００１２】
ＵＥは、様々な目的のために、当該ＵＥを識別するために用いられた様々な複数のＩＤを有してもよい。これらの複数のＵＥ ＩＤs は、異なる状況または範囲（例えば、セル、ページングエリア、等）および／または異なる寿命（例えば、仮のまたは常置の）を有してもよい。例えば、当該ＵＥは、（ｉ）広い範囲および／または長い寿命を有してもよい長いＵＥ ＩＤ、および（ii）より狭い範囲および／またはより短い寿命を有してもよい１つ以上の短い複数のＵＥ ＩＤs 、を割り当てられてもよい。当該複数のＵＥ ＩＤs は、スケジューリングメッセージ、リソース割り当てメッセージ、ページングメッセージ、および／または他のメッセージを当該ＵＥに宛てて送信することのように、様々な目的のために用いられてもよい。
【００１３】
図２は、当該ダウンリンク上のスケジューリングメッセージおよびデータの伝送の例を示す。当該伝送スケジュールは、複数の伝送時間間隔（ＴＴＩs ）に分割されてもよい。ＴＴＩは、例えば、２ミリ秒（ｍｓ）という所定の持続時間を有してもよく、またＵＥが予定および供給されてもよい時間の当該最小の単位であってもよい。
【００１４】
図２中に示された当該例においては、ノードＢは、各ＴＴＩ中に１つのＵＥを供給する。当該ノードＢは、制御チャンネル上でスケジューリングされた（scheduled）ＵＥに関するスケジューリングメッセージを送信してもよく、またいくらかの所定の時間の総量の後にデータチャンネル上でこのＵＥにデータブロックを送信してもよい。スケジューリングメッセージはまた、スケジューリングブロック、スケジューリングワード、パケットフォーマット、等として照会されてもよい。データブロックはまた、パケット、フレーム、等として照会されてもよい。当該制御チャンネル上で送信された当該スケジューリングメッセージは、特定の複数のＵＥs に、これらの複数のＵＥs に割り当てられた複数のミディアム・アクセス・コントロールＩＤs （ＭＡＣ ＩＤs ）に基づいてアドレス指定されてもよい。一般的に、異なるタイプの複数のＵＥ ＩＤs は、異なるアプリケーション（例えば、スケジューリングインフォーメーション、ページング、等）および／または異なるレイヤー（例えば、ＭＡＣレイヤー、物理レイヤー、等）のために用いられてもよい。ＭＡＣ ＩＤは、一般に信号方式に関して用いられるＵＥ ＩＤの一種である。当該データチャンネル上でデータを受信したかもしれない各ＵＥは、そのＵＥにスケジューリングメッセージが送信されたかどうかを決定するために、各ＴＴＩ内で当該制御チャンネルを処理してもよい。各ＵＥは、どのスケジューリングメッセージがそのＵＥについて指定されたものであるかどうかを決定するために、当該制御チャンネル上で受信された当該スケジューリングメッセージをそのＭＡＣ ＩＤと比べる。任意のＴＴＩ中でスケジューリングされたＵＥは、当該ＵＥに向けて送信された当該データブロックを回復（recover）させるためにデータチャンネルを処理してもよい。
【００１５】
図２中に示された当該例においては、ＵＥ １はＴＴＩｎ中でスケジューリングされ、ＵＥ ３はＴＴＩｎ＋１中でスケジューリングされ、ＵＥ ２はＴＴＩs ｎ＋２およびｎ＋３中でスケジューリングされ、そしてＵＥ １はＴＴＩｎ＋４中でスケジューリングされる。ＵＥ １は、ＴＴＩs ｎおよびｎ＋４中でスケジューリングメッセージを受信し、そしてＵＥ １に向けて送信された当該データブロックを回復させるために、これらの複数のＴＴＩs 中で当該データチャンネルを処理する。ＵＥs ２および３は、それらがスケジューリングされた複数のＴＴＩs 中の当該スケジューリングメッセージおよびデータブロックを回復させるために、制御およびデータチャンネルを同様に処理する。
【００１６】
図２中に示された当該デザインにおいては、当該ノードＢは当該制御チャンネルを用いて個々の複数のＵＥs をスケジューリングしてもよく、また当該データチャンネル上で当該スケジューリングされた複数のＵＥs に向けてデータを送信してもよい。全ての複数のＵＥs は制御チャンネルを受信してもよい。特定のＵＥについて指定された対応しているデータブロックをスケジューリングメッセージが指示する際には、そのＵＥは当該データチャンネルから当該データブロックを復調することを認識する。
【００１７】
当該複数のＭＡＣ ＩＤs は、それらが供している複数のノードＢs またはいくつかの他のネットワーク要素によって当該複数のＵＥs に割り当てられてもよく、またスケジューリングメッセージや他の目的に関してこれらの複数のＵＥs を識別するために用いられてもよい。与えられたＵＥに関するＭＡＣ ＩＤは、当該ＵＥがアクティブ状態で残る限り有効であり、またそれが供しているノードＢの当該カバレッジエリアの中あるいは十分近くに位置している。スケジューリングメッセージは頻繁に送信されてもよいので、当該制御チャンネルのオーバーヘッドを減少させるために当該複数のＭＡＣ ＩＤs は可能な限り短くあるべきである。当該複数のＭＡＣ ＩＤs は、１６ビットの長さであってもよく、あるいは他の長さであってもよい。
【００１８】
図３は、複数のＭＡＣ ＩＤs の割り当てを受信し、そして当該複数のＭＡＣ ＩＤs を使用するために、ＵＥにより実行されたプロセス３００を示す。当該ＵＥは、例えば、当該ＵＥがセルＡ中でアクティブになる際に、セルＡからＭＡＣ ＩＤ ａの割り当てを受信する（ブロック３１２）。当該ＵＥがアクティブで、かつ、セルＡ中に残る間、当該ＵＥはＭＡＣ ＩＤ ａにアドレス指定されたスケジューリングメッセージに関する当該制御チャンネルを監視する（ブロック３１４）。もし、ブロック３１６中で決定されたとして、スケジューリングメッセージがＭＡＣ ＩＤ ａに向けて送信されると、その際は当該ＵＥは当該スケジューリングメッセージ中の情報に基づいて当該データチャンネルを処理する（ブロック３１８）。もし、ブロック３２０中で決定されたとして、当該ＵＥが他のセルに引き渡されないと、その際は当該ＵＥはＭＡＣ ＩＤ ａにアドレス指定されたスケジューリングメッセージに関する当該制御チャンネルの監視を続ける（ブロック３１４）。
【００１９】
セルＡを残して新しいセルＢに引き渡されると、当該ＵＥはセルＢからＭＡＣ ＩＤ ｂの割り当てを受信される（ブロック３２２）。当該ＵＥはその際に、ＭＡＣ ＩＤ ａにアドレス指定されたスケジューリングメッセージに関する当該制御チャンネルを監視し、そして当該新しいセルＢからデータを受信する（図３中には図示されないが）。当該ＵＥは、セルＢに引き渡されていると、ＭＡＣ ＩＤ ａを放棄（relinquish）してもよい（ブロック３２４）。あるいは、当該ＵＥに関する維持されたスイッチングセットからセルＡが除去されるまで、当該ＵＥはＭＡＣ ＩＤ ａを保持してもよく、それは当該引き渡しの後にいつでも起こり得る（同様にブロック３２４）。いずれにせよ、ＭＡＣ ＩＤ ａは当該ＵＥからの割り当てを取り消されてもよく、またセルＡ中で他のＵＥに割り当てられてもよい。
【００２０】
図３中に示された当該デザインにおいては、各セルは、そのセル内において他の複数のセルとの協調を伴うことなく、複数のＭＡＣ ＩＤs を複数のＵＥs に割り当ててもよい。与えられたＭＡＣ ＩＤは、異なる複数のＵＥs を参照するために異なる複数のセル内で用いられてもよい。ＵＥに関するＭＡＣ ＩＤは複数のセル（例えば、当該ＵＥの引渡しに関する）間で交換されてもよく、またその際に当該ＵＥの独自の認証に対する曖昧性除去（disambiguation）の尺度としてのセルＩＤと結合されてもよい。
【００２１】
ＭＡＣ ＩＤは、“クッキー”としてのみ機能してもよく、またスケジューリングメッセージが当該ＵＥに向けてアドレス指定されたことを認識することをＵＥに許可するためのマッチングについてのみ用いられてもよい。当該ＵＥは、すべてのスケジューリングメッセージ中でそのＭＡＣ ＩＤを明確に知らされる必要は無くてもよい。むしろ、当該ＵＥは、“このメッセージは自分に関するものなのかあるいは他のＵＥに関するものなのか？”という当該質問に答えることをそれに許可するための十分な情報のみを必要とすればよい。
【００２２】
当該複数のＭＡＣ ＩＤs は、当該複数のＵＥs の常置の複数のＩＤs に簡単にリンクされない仮の複数のＩＤs として用いられてもよい。しかしながら、もし、盗み聞きする者や攻撃する者が当該ダウンリンクを監視でき、また当該同じＵＥをアドレス指定する複数の送信を決定できる場合には、プライバシーの脅威は潜在的に存在するかもしれない。例えば、当該攻撃する者は、当該制御チャンネルを監視して、そしてＴＴＩs ｎおよびｎ＋４中に送信された当該複数のメッセージがともにＵＥ１行きであることを決定することができるが、ＵＥ１の当該真の認証を知らなくてもよい。このタイプの攻撃は接続性の攻撃と呼ばれて、他の関連した脆弱さを生じさせる可能性がある。例えば、当該攻撃者は、どのＭＡＣ ＩＤが特定のＵＥに割り当てられたのかということを、そのＵＥに対するパケットデータサービスを単純に起動させて、そしてどの複数のＭＡＣ ＩＤs がスケジューリングされたデータを殆どちょうどその時に有するかを観察することによって、決定しようと試みるかもしれない。
【００２３】
当該スケジューリングメッセージは、接続性の攻撃と闘うために暗号化されてもよい。しかしながら、特にそのメッセージがそのＵＥについて指定されるものかどうかを決定するために各ＵＥが各スケジューリングメッセージの暗号解読を要求されると、当該複数のスケジューリングメッセージの暗号化は、当該複数のＵＥs に対して過度の暗号解読の重荷を負わせる可能性がある。当該複数のＵＥ ＩＤs に、このいっぱいの暗号解読の重荷を負わせないことを確保することが望ましい。
【００２４】
一つの観点においては、短いＵＥ ＩＤは、当該ＵＥに割り当てられた長いＵＥ ＩＤに基づいてＵＥに関して導かれてもよく、また当該ＵＥに向けてメッセージをアドレス指定するために用いられてもよい。一般的に、当該長いＵＥ ＩＤは、どのようなネットワーク要素によって当該ＵＥに割り当てられたどのようなＩＤであってもよく、またどのような寿命を有してもよい。例えば、当該長いＵＥ ＩＤは、（i）セル・ラジオ・ネットワーク・仮認証（Ｃ−ＲＮＴＩ）、ＭＡＣ ＩＤ、等のようなノードＢによって割り当てられたＩＤ、（ii）仮モバイル署名者認証（ＴＭＳＩ）、パケットＴＭＳＩ（Ｐ−ＴＭＳＩ）、等のような、知られている当該Ｅ−ＵＴＲＡＮを除く当該コアネットワークによって割り当てられたＩＤ、あるいは（iii）幾つかの他のＩＤまたは複数のＩＤs の組み合わせ、であってもよい。当該長いＵＥ ＩＤは、安全なプロトコルを用いて当該ＵＥに割り当てられてもよく、また暗号化されて無線によって送り出されてもよい。当該短いＵＥ ＩＤは、例えば、スケジューリングのような、特定の適用に関する当該ＵＥの独自の認証に用いられてもよく、また適当な長さであってもよい。異なる複数の当該短いＵＥ ＩＤs は、当該同じ長いＵＥ ＩＤに基づいて決定論的な方法において発生させられてもよく、また当該ＵＥにアドレス指定された異なる複数のメッセージについて用いられてもよい。当該複数の短いＵＥ ＩＤs は、メッセージマッチングに関する当該複数のＭＡＣ ＩＤs の代わりに用いられてもよい。
【００２５】
一般的に、短いＵＥ ＩＤは、当該短いＵＥ ＩＤから当該長いＵＥ ＩＤを決定することを困難にさせる不可逆性の関数のような何らかの変換関数に基づいて、長いＵＥ ＩＤから発生させられてもよい。例えば、当該変換関数は、メッセージ（例えば、当該長いＵＥ ＩＤ）を要約版（例えば、当該短いＵＥ ＩＤ）に論理的に対応付ける暗号の／安全なハッシュ関数であってよく、また（i）当該メッセージとその要約版との間の当該関数は不可逆性であるように、そして（ii）当該同じ要約版に２つのメッセージを論理的に対応付けている当該見込みはとても小さくなるように、暗号の複数のプロパティを有してもよい。当該ハッシュ関数の当該出力は、要約版、シグネイチャー、ハッシュ価値、等と呼ばれてもよい。
【００２６】
短いＵＥ ＩＤは、さらに塩の価値σに基づいて発生させられてもよく、これはどのような方法において選択されてもよい非静的な価値である。異なる複数の塩の価値は、異なる信号方式の複数のメッセージに関する異なる複数のＵＥ ＩＤs を発生させるために、単一の長いＵＥ ＩＤと共に用いられてもよい。これは、相関性の攻撃との闘いおよびセキュリティの改善において有効であるかもしれない。
【００２７】
一つのデザインにおいては、暗号の／安全なハッシュ関数は当該変換関数として用いられても構わない。当該ハッシュ関数は、当該塩の価値σによってパラメーターで表示され、そしてＨσ として表示される。当該ハッシュ関数は、長いＵＥ ＩＤ Ｒx および当該塩の価値σを受信し、そしてＨσ(Ｒx) として表示される短いＵＥ ＩＤを提供する。当該ハッシュ関数は、当該次に述べる複数のプロパティを有するべきである：
・当該塩の価値σおよび当該短いＵＥ ＩＤ Ｈσ(Ｒx) を知ること、それは当該長
いＵＥ ＩＤ Ｒx を決定することが計算上実行不可能であるべきであり、
・当該長いＵＥ ＩＤ Ｒx および当該塩の価値σが知られた際に、当該短いＵＥ 
ＩＤ Ｈσ(Ｒx) を計算することは計算上容易であるべきであり、そして
・当該複数の長いＵＥ ＩＤs から得られるある範囲におけるＲx の複数の値については、当該値Ｈσ(Ｒx) は、それぞれのσの値については、当該複数の短いＵＥ ＩＤs について用いられた範囲内にあるべきである。
【００２８】
当該ハッシュ関数Ｈσ は、当該技術分野において知られた任意のパラメーターで表示された暗号のハッシュ関数に基づいて定義されてもよい。パラメーターで表示された暗号のハッシュ関数の一つの良く知られた例は、ＵＮＩＸ（登録商標）関数‘crypt()’である。ＳＨＡ−１（安全なハッシュアルゴリズム）、ＳＨＡ−２（これはＳＨＡ−２２４、ＳＨＡ−２５６、ＳＨＡ−３８４およびＳＨＡ−５１２を含む）、ＭＤ−４（メッセージ要約）、ＭＤ−５、あるいは当該技術分野において知られた他の安全なハッシュアルゴリズムのような暗号のハッシュ関数は、パラメーターで表示された形式において用いられてもよい。当該塩の価値σは、当該ハッシュ関数の当該セキュリティを妥協することなく明らかにされてもよいパラメーターである。当該短いＵＥ ＩＤ Ｈσ(Ｒx) および当該塩の価値σは、当該長いＵＥ ＩＤ Ｒx を用いて割り当てられた当該ＵＥに向けて宛てられたメッセージの中で送信されてもよい。当該塩の価値σ、およびこのように当該短いＵＥ ＩＤは、異なる複数のメッセージについて変化してもよい。
【００２９】
図４は、複数のスケジューリングメッセージおよびデータをＵＥに向けて送信するためのネットワーク要素（例えば、ノードＢまたはシステムコントローラー）によって実行された処理４００を示す。長いＵＥ ＩＤは、例えば、安全な信号方式によって、当該ＵＥに割り当てられる（ブロック４１２）。一般的に、当該長いＵＥ ＩＤは、いつでも任意のネットワーク要素によって割り当てられてもよく、また任意の寿命を有してよい。例えば、各ＴＴＩのような、各スケジューリング間隔においては、当該ＵＥがデータ伝送に関してスケジューリングされるかどうかの決定がなされる（ブロック４１４）。もし、当該ＵＥがスケジューリングされると、その際は当該長いＵＥ ＩＤおよび塩の価値σに基づいて短いＵＥ ＩＤが発生させられる（ブロック４１６）。当該ＵＥに向けてアドレス指定されたスケジューリングメッセージは、スケジューリング情報、当該短いＵＥ ＩＤ、および当該塩の価値に基づいて発生させられる（ブロック４１８）。当該スケジューリングメッセージは、共通のチャンネルを経由して当該ＵＥに向けて送信される（ブロック４２０）。データは、当該スケジューリングメッセージ中の当該スケジューリング情報に従って当該ＵＥに向けて送信される（ブロック４２２）。その後、当該処理は当該次のスケジューリング間隔に関するブロック４１４に戻る。
【００３０】
図５は、スケジューリングメッセージおよびデータの受信に関するＵＥによって実行された処理５００を示す。長いＵＥ ＩＤの割り当ては、例えば、安全な信号方式によって受信される（ブロック５１２）。例えば、各ＴＴＩのように、各スケジューリング間隔においては、スケジューリングメッセージは共通のチャンネルから受信され、そして短いＵＥ ＩＤおよび塩の価値σは当該受信されたメッセージから得られる（ブロック５１４）。短いＵＥ ＩＤはまた、当該受信されたメッセージから得られた当該長いＵＥ ＩＤおよび塩の価値σに基づいて発生させられる（ブロック５１６）。当該局所的に発生させられた短いＵＥ ＩＤは、当該スケジューリングメッセージが当該ＵＥについて指定されたかどうかを決定するために当該受信された短いＵＥ ＩＤと比較される（ブロック５１８）。もし、２つの短いＵＥ ＩＤs が一致するならば、ブロック５２０において決定されたと同様に、その際は当該スケジューリングメッセージが当該ＵＥについて指定されたものであり、そして対応するデータブロックが受信され、かつ、当該受信されたメッセージ中の当該スケジューリング情報に基づいて処理される（ブロック５２２）。ブロック５２２の後、そしてまたもし当該２つの短いＵＥ ＩＤs がブロック５２０において一致しないならば、当該処理は当該次のスケジューリング間隔に関するブロック５１４に戻る。
【００３１】
当該塩の価値σは各スケジューリングメッセージと交換されてもよい。この場合には、攻撃者は当該複数のスケジューリングメッセージを監視することによって与えられたＵＥに関する情報を統合することができないかもしれない。
【００３２】
もし、可能な数の複数の長いＵＥ ＩＤs が十分に小さければ、その際は、攻撃者は次の通り消耗攻撃（an exhaustion attack）を開始することを企てるかもしれない。攻撃者は、全ての可能な複数の長いＵＥ ＩＤs のリストを発生させるかもしれず、これは｛Ｒ1 ，Ｒ2 ，... ，ＲK ｝として表示されてよく、ここでＫは当該リスト中の当該複数の長いＵＥ ＩＤs の数である。塩の価値σを伴うスケジューリングメッセージおよび短いＵＥ ＩＤｚを確かめることによって、当該攻撃者は、Ｒ1 からＲK について、当該形式Ｈσ(Ｒk) についての全ての可能な複数の値を発生させるかもしれず、またＨσ(Ｒk) ＝ｚとなるためのＲk についての当該複数の値に気づくかもしれない。これは、当該データを受信している当該ＵＥについての当該長いＵＥ ＩＤに関する多数の候補を生じさせるかもしれない。しかしながら、時間を超過して、実際に使用されている当該複数の長いＵＥ ＩＤs は、候補リストの中に何度も何度も現れてもよい。これは、見たところでは用いられている複数の長いＵＥ ＩＤs のリストを構築することを当該攻撃者に可能にするかもしれない。一度“本物の”長いＵＥ ＩＤが決定されると、当該攻撃者は、複数のスケジューリングメッセージを監視するために当該ＵＥとして当該同じアルゴリズムを用いるかもしれず（例えば、図５中に示されるように）、また当該ＵＥについて指定された情報を蓄積するかもしれない。
【００３３】
十分に大きなサイズの複数の長いＵＥ ＩＤs は、消耗攻撃を計算上実行不可能にする可能性がある。複数のＬビットの複数の長いＵＥ ＩＤs については、消耗攻撃は各塩の価値σについて当該ハッシュ関数の２L の計算を実行する可能性がある。当該長いＵＥ ＩＤのサイズは、当該望まれたセキュリティの程度、当該複数の長いＵＥ ＩＤs の当該予期された寿命、等に基づいて選択されればよい。もし、長いＵＥ ＩＤの当該寿命が十分に短いならば、その際は、当該消耗攻撃は成功するには遅過ぎるかもしれない。当該攻撃者が、かなりの数のスケジューリングメッセージを処理して、そして与えられた長いＵＥ ＩＤがセル中で用いられていると決定した時には既に、その長いＵＥ ＩＤを伴う当該ＵＥは当該Ｅ−ＵＴＲＡＮによって新しい長いＵＥ ＩＤを既に割り当てられているかもしれない。当該Ｅ−ＵＴＲＡＮは、このように、安全な信号方式による当該複数のＵＥs に対する複数の新しい長いＵＥ ＩＤs の頻繁な割り当てを通して、いかなるセキュリティの弱点についても補償することができる。
【００３４】
他の観点においては、短いＵＥ ＩＤは、当該ＵＥに割り当てられた長いＵＥ ＩＤ、当該ＵＥおよび当該Ｅ−ＵＴＲＡＮに知られた共有された秘密のデータそしてことによると塩の価値σ、に基づいてＵＥについて引き出されてもよい。当該共有された秘密のデータは、例えば、呼び出しの開始の際、引渡しの間中、等の当該ＵＥと当該Ｅ−ＵＴＲＡＮとの間で安全に交換されてもよい。当該共有された秘密のデータは、たった１回送信されればよいので、どのような長さ（例えば、非常に長い）であってもよい。一度確立されてしまえば、例えば、当該ＵＥが接続された状態のままである限りにおいては、または何らかの他の存続期間においては、当該共有された秘密のデータは当該ＵＥにおいて不変のままでよい。あるいは、当該共有された秘密のデータは、以下に述べるように、ハッシュ関数によって更新（update）されてもよい。
【００３５】
変換関数は、当該長いＵＥ ＩＤ、当該共有された秘密のデータ、および当該塩の価値σを受信し、そして短いＵＥ ＩＤを発生させてもよい。当該共有された秘密のデータは、当該変換関数への他の入力として作用してもよい。当該塩の価値σおよび当該短いＵＥ ＩＤはメッセージ中に送信されてもよいが、当該共有された秘密のデータは当該メッセージ中には送信されない。当該短いＵＥ ＩＤを発生させるための当該共有された秘密のデータの当該使用は、当該複数の長いＵＥ ＩＤs についての消耗攻撃を妨害することができる。
【００３６】
さらに他の観点においては、ＵＥに関する長いＵＥ ＩＤは、例えば、短いＵＥ ＩＤが発生させられる際にはいつでも、更新されてよい。一般的に、当該長いＵＥ ＩＤは、例えば、現在の長いＵＥ ＩＤ、当該共有された秘密のデータ、当該塩の価値σ、等の任意の情報に基づいて更新されてよい。当該長いＵＥ ＩＤは、変換関数Ｆに基づいて更新されてよく、これはハッシュ関数または他の何らかの関数であってよい。
【００３７】
図６は、複数のスケジューリングメッセージおよびデータの受信、ならびに長いＵＥ ＩＤの更新に関するＵＥによって実行された処理６００を示す。長いＵＥ ＩＤの割り当てが受信される（ブロック６１２）。各スケジューリング間隔においては、スケジューリングメッセージは共通のチャンネルから受信され、また短いＵＥ ＩＤおよび塩の価値は当該受信されたメッセージから得られる（ブロック６１４）。短いＵＥ ＩＤはまた、当該現在の長いＵＥ ＩＤ、当該受信されたメッセージから得られた当該塩の価値σ、および当該ＵＥに関する共有された秘密のデータに基づいて発生させられる（ブロック６１６）。当該局所的に発生させられた短いＵＥ ＩＤは、当該スケジューリングメッセージが当該ＵＥについて指定されたかどうかを決定するために、当該受信された短いＵＥ ＩＤと比較される（ブロック６１８）。ブロック６２０において決定されたように、もし、当該２つの短いＵＥ ＩＤs が一致するならば、その際は、当該受信されたメッセージ中のスケジューリング情報に基づいて対応しているデータブロックが受信されて、そして処理される（ブロック６２２）。当該長いＵＥ ＩＤはまた、当該現在の長いＵＥ ＩＤ、当該共有された秘密のデータ、当該塩の価値σ、および／または他の情報に基づいて更新されてよい（ブロック６２４）。ブロック６２４の後、そしてまたブロック６２０において、もし、当該２つの短いＵＥ ＩＤが一致しないならば、当該処理は当該次のスケジューリング間隔に関するブロック６１４に戻る。
【００３８】
当該Ｅ−ＵＴＲＡＮは、スケジューリングメッセージが当該ＵＥに送信された際にはいつでも、当該ＵＥに関する当該長いＵＥ ＩＤを自主的に更新してよい。同様に、当該ＵＥは、当該ＵＥについて指定されたスケジューリングメッセージが当該Ｅ−ＵＴＲＡＮから受信された際にはいつでも、その長いＵＥ ＩＤを自主的に更新してよい。もし、当該長いＵＥ ＩＤが当該Ｅ−ＵＴＲＡＮおよびＵＥによって別々に更新されたならば、その際は、当該Ｅ−ＵＴＲＡＮおよびＵＥは、ある複数の失敗の場合において当該長いＵＥ ＩＤについて異なる値を有してもよい。例えば、もし、当該Ｅ−ＵＴＲＡＮの認識無しにスケジューリングメッセージが放送中に失われるならば、その際は、当該Ｅ−ＵＴＲＡＮが予期するであろうものとして当該ＵＥはその長いＵＥ ＩＤを更新しなくてもよい。他の例として、もし、当該ＵＥがスケジューリングメッセージを、そのメッセージの承認（ＡＣＫ）が伝送中に失われる場合を除いて正確に受信するならば、その際は、当該Ｅ−ＵＴＲＡＮが情報を知らされなくてもよい場合を除いて当該ＵＥはその長いＵＥ ＩＤを更新してもよい。両方の場合において、当該Ｅ−ＵＴＲＡＮによって維持された当該長いＵＥ ＩＤは、当該ＵＥによって維持された当該長いＵＥ ＩＤと一致しなくてもよい。この非同期化は、当該Ｅ−ＵＴＲＡＮが当該長いＵＥ ＩＤを用いる当該ＵＥと連絡することができない状態に終わってよい。再同期化の仕組みは、以下に述べるように、複数の失敗の場合においてでさえ当該Ｅ−ＵＴＲＡＮおよびＵＥが当該同じ長いＵＥ ＩＤを有することを確実にするために用いられてもよい。
【００３９】
さらに他の観点においては、ＵＥに関する長いＵＥ ＩＤおよび共有された秘密のデータは、例えば、短いＵＥ ＩＤが発生させられた際にはいつでも更新されてよい。当該長いＵＥ ＩＤは変換関数Ｆに基づいて更新されてよく、また当該共有された秘密のデータは変換関数Ｇに基づいて更新されてよく、各々はハッシュ関数または何らかの他の関数であってよい。あるいは、当該長いＵＥ ＩＤおよび共有された秘密のデータは共通の変換関数に基づいて共同で更新されてよい。いかなる場合においても、例えば、他の状態では当該共有された秘密のデータの当該寿命となるであろう範囲内を除いて、長い期間にわたって実行可能であるべき消耗攻撃にとって当該共有された秘密のデータが十分に短い複数の場合においては、断続的に変化している当該共有された秘密のデータは付加的な保護の手段を提供してよい。
【００４０】
図７は、送信された複数のスケジューリングメッセージおよびデータの受信、ならびに長いＵＥ ＩＤおよび共有された秘密のデータの更新に関する、ＵＥによって実行された処理７００を示す。処理７００は、７１２から７２２までの複数のブロックを含み、それは図６中において、それぞれ６１２から６２２までの複数のブロックに対応する。もし、ブロック７２０において決定されたように、当該局所的に発生させられた短いＵＥ ＩＤが、受信されたメッセージから得られた当該受信された短いＵＥ ＩＤと一致するならば、その際は、当該長いＵＥ ＩＤおよび共有された秘密のデータは、当該現在の長いＵＥ ＩＤ、当該現在の共有された秘密のデータ、当該受信されたメッセージから得られた塩の価値σ、および／または他の情報に基づいて更新されてよい（ブロック７２４）。同期化の仕組みは、当該ＵＥと当該Ｅ−ＵＴＲＡＮとの間における当該長いＵＥ ＩＤと共有された秘密のデータとの同期化を確実にするために用いられてもよい。
【００４１】
もし、当該長いＵＥ ＩＤおよび／または共有された秘密のデータが各スケジューリングメッセージの後に更新されるならば、その際は、当該Ｅ−ＵＴＲＡＮは、（i）当該ＵＥが当該スケジューリングメッセージを受信し、そしてその後に当該更新を実行したかどうかを決定することについての信頼できる方法、または（ii）当該更新が当該ＵＥによって実行されなかった複数の状態に関する信頼できる低オーバーヘッド（low-overhead）の回復の仕組み、を有するべきである。（i）かまたは（ii）かどちらでも、当該スケジューリングメッセージに関する当該ＵＥによって送信されたＡＣＫ、および／または当該スケジューリングメッセージに関係付けられたデータブロックに関する当該ＵＥによって送信されたＡＣＫ、に基づいて達成されればよい。各ＡＣＫは、特定の目的のための信号方式によって送信されてもよく、または、例えば、チャンネル・クオリティー・インジケーター（ＣＱＩ）メッセージのように、アップリンクメッセージの中に埋め込まれてもよい。もし、当該Ｅ−ＵＴＲＡＮがデータブロックについてのＡＣＫを受信するならば、その際は、当該Ｅ−ＵＴＲＡＮは、当該ＵＥが当該スケジューリングメッセージを受信し、そしてその長いＵＥ ＩＤを更新したものと判断してよい。一般的に、当該ＵＥは、ＡＣＫまたは何らかの他の情報を明白にまたは暗に、そして当該ＵＥが当該スケジューリングメッセージを受信したことを当該Ｅ−ＵＴＲＡＮに示すための任意の方法で伝達してよい。
【００４２】
もし、当該ＵＥに向けて送信されたスケジューリングメッセージに関するＡＣＫを当該Ｅ−ＵＴＲＡＮが受信しないならば、その際は、２つの可能性がある：
・当該ＵＥは当該スケジューリングメッセージを受信せず、そしてその後その長
いＵＥ ＩＤおよび／または共有された秘密のデータを更新しなかった、または
・当該ＵＥは当該スケジューリングメッセージを受信し、その長いＵＥ ＩＤおよ
び／または共有された秘密のデータを更新し、そしてＡＣＫを送信したが、             それは失われた。
【００４３】
どちらの場合においても、当該Ｅ−ＵＴＲＡＮは、当該ＵＥがその長いＵＥ ＩＤおよび／または共有された秘密のデータを更新したかどうかということを知らなくてもよい。当該Ｅ−ＵＴＲＡＮは、たとえ当該ＵＥに向けて送信された当該スケジューリングメッセージに関する当該ＵＥからのＡＣＫを受信しなくても、同期化の失敗を検出してよい。
【００４４】
一つのデザインにおいては、同期化の失敗が検出された際にはいつでも、当該Ｅ−ＵＴＲＡＮは、新しい長いＵＥ ＩＤおよび／または新しい共有された秘密のデータを当該ＵＥに割り当ててよい。当該Ｅ−ＵＴＲＡＮは、安全な信号方式によって、そしてＴＭＳＩまたはＰ−ＴＭＳＩのような安定したＩＤによって当該ＵＥにアドレス指定された、当該新しい長いＵＥ ＩＤおよび／または新しい共有された秘密のデータを送信してよい。
【００４５】
他のデザインにおいては、再同期化の仕組みは、当該ＵＥがその長いＵＥ ＩＤおよび／または共有された秘密のデータを更新したかどうかを当該Ｅ−ＵＴＲＡＮが知らない際にはいつでも、同期化を回復させるために用いられてよい。もし、同期化の失敗が検出されるならば、その際は、当該Ｅ−ＵＴＲＡＮは、当該ＵＥにアドレス指定される当該前の長いＵＥ ＩＤおよび／または共有された秘密のデータを用いてもよい。当該Ｅ−ＵＴＲＡＮは、当該前の長いＵＥ ＩＤおよび共有された秘密のデータが当該メッセージについて用いられているということを示すために‘１’に対する“前のＩＤ”というフラッグセットとともにスケジューリングメッセージを送信してもよい。当該ＵＥが当該スケジューリングメッセージを当該フラッグセットとともに受信する際には、当該ＵＥは、その前のおよび現在の両方の長いＵＥ ＩＤs および共有された秘密のデータを用いてマッチングを実行してもよい。もし一致したならば、その際は、当該ＵＥは、当該一致を作り出した当該長いＵＥ ＩＤおよび共有された秘密のデータに基づいて、その長いＵＥ ＩＤおよび共有された秘密のデータを更新してよい。
【００４６】
図８は、前のＩＤフラッグに基づく、複数のスケジューリングメッセージをおよびデータの受信、ならびに長いＵＥ ＩＤおよび共有された秘密のデータの更新に関するＵＥによって実行された処理８００を示す。各スケジューリング間隔においては、スケジューリングメッセージは共通のチャンネルから受信され、そして当該受信されたメッセージ中の前のＩＤフラッグが検査される（ブロック８１２）。ブロック８１４において決定されたように、もし当該フラッグが設定されると、その際は、当該受信されたメッセージが当該ＵＥに関するものかどうかが、当該ＵＥに関する当該前の長いＵＥ ＩＤおよび当該前の共有された秘密のデータに基づいて決定される（ブロック８２０）。ブロック８２０は、図６中のブロック６１６および６１８を含んでもよい。ブロック８２２において決定されたように、もし一致が起きて、そして当該受信されたメッセージが当該ＵＥに関するものであるならば、その際は、当該前の長いＵＥ ＩＤおよび／または当該前の共有された秘密のデータに基づいて当該長いＵＥ ＩＤおよび／または共有された秘密のデータは更新されてもよい（ブロック８２４）。さもなければ、もしブロック８２２において一致が起こらず、そしてまた、もし当該前のＩＤフラッグがブロック８１４においてセットされないと、その際は、当該受信されたメッセージが当該ＵＥに関するものであるかどうかが、当該現在の長いＵＥ ＩＤおよび当該現在の共有された秘密のデータに基づいて決定される（ブロック８３０）。もし、一致が起き、そして当該受信されたメッセージが当該ＵＥに関するものであるならば、ブロック８３２において決定されたように、その際は、当該長いＵＥ ＩＤおよび／または共有された秘密のデータは、当該現在の長いＵＥ ＩＤおよび／または当該現在の共有された秘密のデータに基づいて更新されてよい（ブロック８３４）。ブロック８２４および８３４の後、対応しているデータブロックは、当該受信されたメッセージ中のスケジューリング情報に基づいて受信されて処理された（ブロック８２６）。ブロック８２６の後、そしてまたブロック８３２において一致がないならば、当該次のスケジューリング間隔に関するブロック８１２に戻る。
【００４７】
図９Ａは、スケジューリングメッセージが当該ＵＥに届かない場合に関する当該再同期化の仕組みの動作を示す。当該Ｅ−ＵＴＲＡＮおよびＵＥは、それぞれ当該ＵＥに関するＲ0 についての前の長いＵＥ ＩＤ（ＰＩＤ）およびＲ1 についての現在の長いＵＥ ＩＤ（ＣＩＤ）から始める。当該Ｅ−ＵＴＲＡＮは、スケジューリングメッセージをＲ1 についての当該現在の長いＵＥ ＩＤとともに当該ＵＥに送信し、そしてＰＩＤ’＝Ｒ1 およびＣＩＤ’＝Ｒ2 としての当該長いＵＥ ＩＤを更新する。スケジューリングメッセージは伝送中に失われる。当該ＵＥは、その長いＵＥ ＩＤを更新すべきであり、そしてＰＩＤ＝Ｒ0 およびＣＩＤ＝Ｒ1 を使い続けるべきであること、を知らない。当該Ｅ−ＵＴＲＡＮは、当該ＵＥからのＡＣＫを受信せず、またＲ1 についての当該前の長いＵＥ ＩＤを用いて、そして当該前のＩＤフラッグを設定して、当該ＵＥに関する当該次のスケジューリングメッセージを送信する。
【００４８】
当該フラッグが設定されたので、当該ＵＥは当該スケジューリングメッセージを受信し、そして一致しないＲ0 についての当該前の長いＵＥ ＩＤとともに当該受信したメッセージを検査する。当該ＵＥは、その際、一致するＲ1 についての当該現在の長いＵＥ ＩＤとともに当該受信したメッセージを検査する。当該ＵＥは、その際、Ｒ1 についてのその現在の長いＵＥ ＩＤが当該Ｅ−ＵＴＲＡＮにおけるＲ1 についての当該前の長いＵＥ ＩＤに等しいことを認識する。当該ＵＥは、その際、当該失ったスケジューリングメッセージに関する当該Ｅ−ＵＴＲＡＮによる当該更新に一致させるために、その長いＵＥ ＩＤをＰＩＤ＝Ｒ1 およびＣＩＤ＝Ｒ2 として１回更新する。当該ＵＥは、当該現在のスケジューリングメッセージに関する当該Ｅ−ＵＴＲＡＮによる当該更新に一致させるために、その長いＵＥ ＩＤをＰＩＤ＝Ｒ2 およびＣＩＤ＝Ｒ3 としてさらに更新する。当該ＵＥは、当該スケジューリングメッセージに関するＡＣＫを送信する。当該Ｅ−ＵＴＲＡＮは当該ＡＣＫを受信し、そして当該長いＵＥ ＩＤをＰＩＤ'＝Ｒ2 およびＣＩＤ'＝Ｒ3 として更新する。当該Ｅ−ＵＴＲＡＮは、当該ＵＥがその長いＵＥ ＩＤを当該受信したＡＣＫに基づいて適当に更新したこと、およびＲ3 についての当該現在の長いＵＥ ＩＤを用いて、そしてはっきりとした当該前のＩＤフラッグとともに、当該ＵＥに関する当該次のスケジューリングメッセージを送信したこと、を認識する。当該ＵＥおよびＥ−ＵＴＲＡＮは現在、Ｒ3 についての当該現在の長いＵＥ ＩＤに同期される。
【００４９】
図９Ｂは、当該ＵＥからのＡＣＫが当該Ｅ−ＵＴＲＡＮへの途上で失われた場合に関する当該再同期化の仕組みの動作を示す。当該Ｅ−ＵＴＲＡＮおよびＵＥは、それぞれ当該ＵＥに関するＲ0 についての前の長いＵＥ ＩＤおよびＲ1 についての現在の長いＵＥ ＩＤから始める。当該Ｅ−ＵＴＲＡＮは、スケジューリングメッセージをＲ1 についての当該現在の長いＵＥ ＩＤとともに当該ＵＥに送信し、そしてＰＩＤ’＝Ｒ1 およびＣＩＤ’＝Ｒ2 としての当該長いＵＥ ＩＤを更新する。当該ＵＥは、当該スケジューリングメッセージを受信し、ＡＣＫを送信し、そしてその長いＵＥ ＩＤをＰＩＤ＝Ｒ1 およびＣＩＤ＝Ｒ2 として更新する。当該ＡＣＫは失われ、そして当該Ｅ−ＵＴＲＡＮは当該ＵＥが当該スケジューリングメッセージを受信し、また当該長いＵＥ ＩＤを更新したかどうかを知らない。当該Ｅ−ＵＴＲＡＮは、Ｒ1 についての当該前の長いＵＥ ＩＤを用いて、そして当該前のＩＤフラッグを設定して、当該ＵＥに関する当該次のスケジューリングメッセージを送信する。
【００５０】
当該フラッグが設定されたので、当該ＵＥは当該スケジューリングメッセージを受信し、そして一致するＲ1 についての当該前の長いＵＥ ＩＤとともに当該受信したメッセージを検査する。当該ＵＥは、その際、Ｒ1 についてのその前の長いＵＥ ＩＤが当該Ｅ−ＵＴＲＡＮにおけるＲ1 についての当該前の長いＵＥ ＩＤに等しいことを認識する。当該ＵＥは、その際、当該現在のスケジューリングメッセージのための当該Ｅ−ＵＴＲＡＮによる当該更新に一致させるために、その長いＵＥ ＩＤをＰＩＤ＝Ｒ2 およびＣＩＤ＝Ｒ3 として１回更新する。当該ＵＥは、当該スケジューリングメッセージに関するＡＣＫを送信する。当該Ｅ−ＵＴＲＡＮは当該ＡＣＫを受信し、そして当該長いＵＥ ＩＤをＰＩＤ＝Ｒ2 およびＣＩＤ＝Ｒ3 として更新する。当該Ｅ−ＵＴＲＡＮは、当該ＵＥがその長いＵＥ ＩＤを当該受信したＡＣＫに基づいて適正に更新したことを認識し、そして明確にされた当該前のＩＤフラッグとともにＲ3 についての当該現在の長いＵＥ ＩＤを用いて、当該ＵＥに関する当該次のスケジューリングメッセージを送信する。当該ＵＥおよびＥ−ＵＴＲＡＮは、現在、Ｒ3 についての当該現在の長いＵＥ ＩＤに同期される。
【００５１】
他のデザインにおいては、当該Ｅ−ＵＴＲＡＮは、当該長いＵＥ ＩＤおよび／または当該ＵＥに送信された各スケジューリングメッセージに関する共有された秘密のデータを更新する。当該ＵＥは、一つまたはそれ以上の長いＵＥ ＩＤs に基づいて受信したメッセージを一致させることを試みる。例えば、当該ＵＥは、当該現在の長いＵＥ ＩＤ、それから当該前の長いＵＥ ＩＤ、それから当該将来の長いＵＥ ＩＤ、等に基づいて当該受信したメッセージを一致させることを試みてもよい。一致を検出することに関して、当該ＵＥは、当該Ｅ−ＵＴＲＡＮにおける当該現在の長いＵＥ ＩＤを知り、そしてその長いＵＥ ＩＤを当該Ｅ−ＵＴＲＡＮの長いＵＥ ＩＤに同期させる。
【００５２】
当該塩の価値σは、衝突を避けるために選択されてもよい。衝突は、２つのＵＥs ｘおよびｙに割り当てられた２つの長いＵＥ ＩＤs Ｒx およびＲy が当該同じ短いＵＥ ＩＤ、すなわちＨσ（Ｒx ）＝Ｈσ（Ｒy ）にハッシュ（hash）される際に起こるかもしれない。もし、スケジューリングメッセージがこの短いＵＥ ＩＤとともにＵＥｘに向けて送信されるならば、その際は、ＵＥs ｘおよびｙは各々、当該スケジューリングメッセージをそのＵＥに向けて宛てられているものとして検出してもよく、また当該対応するデータブロックが当該ＵＥについて指定されることを仮定してもよい。これは、ＵＥｘにとって何の問題ももたらさず、ＵＥｘは当該指定されたデータブロックを受信する。しかしながら、ＵＥｙは見せかけのデータブロックを受信するかもしれず、これがもし暗号化されたならば、ランダムな解読されたデータを生産するかもしれない。いかなる場合においても、当該見せかけのデータブロックは、ＵＥｙ向けのデータストリーム中において不適当であるかもしれず、また当該結果として生じている効果は、当該データストリームを受信している当該アプリケーションの特別な挙動に基づいてもよい。
【００５３】
一般的に、複数の長いＵＥ ＩＤs の衝突の結果生じる衝撃は、当該複数の長いＵＥ ＩＤs や、当該アプリケーションの挙動、等とともに送信されている信号方式の当該タイプに依存されてもよい。ある状態においては、例えば、当該ＵＥに関するスケジューリングされた当該データは、当該指定された受取人によって理解され得る際にのみ、複数の衝突は受諾可能であってもよい。それにもかかわらず、当該Ｅ−ＵＴＲＡＮは、起こり得る反対の複数の効果を避けるために複数の衝突を防止することを試みてもよい。複数の衝突は、様々な方式において避けられてもよい。
【００５４】
複数の衝突を避けることに関する一つのデザインにおいては、ノードＢ（あるいは幾つかの他のネットワーク要素）は、複数の衝突を有しないことが知られた複数の塩の価値を選択する。当該ノードＢは、複数のＵＥs に割り当てられた、または割り当て可能な全ての複数の長いＵＥ ＩＤs の組を、その填補範囲内において維持してもよい。各々の可能な塩の価値σに関して、当該ノードＢは、複数の長いＵＥ ＩＤs の当該組およびその塩の価値に基づいて複数の短いＵＥ ＩＤs の組を発生させてもよい。当該ノードＢは、複数の複製に関する複数の短いＵＥ ＩＤs の当該組をスキャンしてもよく、またもし、複数の複製が検出されるならば、この塩の価値を拒絶してもよい。一般的に、特定の複数の長いＵＥ ＩＤs に関する衝突を引き起こす当該塩の価値はさらに、他の複数の長いＵＥ ＩＤs について用いられてもよい。しかしながら、実施を簡単にするために、当該ノードＢは、複数の長いＵＥ ＩＤs の当該全体の組に関して複数の複製なしに終わる複数の塩の価値のリストを維持してもよい。このリストの中の当該複数の塩の価値は使用のために選択されてもよい。複数の衝突はまた、他の方法において避けられてもよい。
【００５５】
一般的に、短いＵＥ ＩＤは、情報の任意の断片または複数の断片に基づいて発生させられてもよい。例えば、当該短いＵＥ ＩＤは、当該長いＵＥ ＩＤのみ、当該長いＵＥ ＩＤおよび当該塩の価値、当該長いＵＥ ＩＤおよび当該共有された秘密のデータ、当該共有された秘密のデータのみ、当該共有された秘密のデータおよび当該塩の価値、あるいは当該長いＵＥ ＩＤ、当該塩の価値、および当該共有された秘密のデータの組み合わせ、に基づいて発生させられてもよい。
【００５６】
一般的に、任意の情報は当該Ｅ−ＵＴＲＡＮおよびＵＥによって更新されてよい。例えば、当該塩の価値のみ、当該長いＵＥ ＩＤのみ、当該共有された秘密のデータのみ、当該塩の価値および当該長いＵＥ ＩＤ、当該塩の価値および当該共有された秘密のデータ、当該長いＵＥ ＩＤおよび当該共有された秘密のデータ、あるいは当該塩の価値、当該長いＵＥ ＩＤ、および当該共有された秘密のデータの組み合わせ、は更新されてもよい。当該更新は、各々のスケジューリングメッセージの後、各々の所定の存続期間の時間間隔の後、等に実行されてもよい。
【００５７】
明確にするために、複数のスケジューリングメッセージのための複数の短いＵＥ ＩＤs の当該使用は先に述べられた。当該複数の短いＵＥ ＩＤs はまた、複数のページングメッセージ、複数の供給源割り当てメッセージ、等のような他の信号方式の複数のメッセージに関して用いられてもよい。例えば、短いＵＥ ＩＤは、特定のＵＥに宛てられたページングメッセージについて発生させられてもよい。当該短いＵＥ ＩＤは、ページングメッセージが当該ＵＥへのページングチャンネル上で送信されたことを当該ＵＥに知らせるためのページング表示チャンネル上で送信されてもよい。当該短いＵＥ ＩＤはまた、当該ＵＥに向けて当該メッセージをアドレス指定するためのページングメッセージとともに送信されてもよい。
【００５８】
図１０は、当該複数のＵＥs に向けて信号方式メッセージおよびデータを送信するための無線通信ネットワーク中のネットワーク要素によって実行される処理１０００を示す。当該ネットワーク要素は、送信されている当該信号方式メッセージに依存しているノードＢや、システムコントローラー、等であってよく、
ＵＥに割り当てられた第１のＩＤ、ならびに、例えば、当該ＵＥに関する塩の価値および／または共有された秘密のデータのような付加的な情報は、当該ＵＥ向けの第２のＩＤを得るために、変換されてもよい（ブロック１０１２）。当該第１のＩＤは、任意のネットワーク要素によって当該ＵＥに割り当てられてもよい長いＵＥ ＩＤであってもよい。当該第１のＩＤは、当該ＵＥに向けて複数の信号方式メッセージを送信する当該同じネットワーク要素、または他のネットワーク要素によって当該ＵＥに割り当てられてもよい。当該第１のＩＤは、単一のセル内または多数のセルのいたるところに適用可能であってもよい。当該第１のＩＤ、当該塩の価値、および／または当該共有された秘密のデータは、不可逆性の機能、ハッシュ機能、あるいは当該第２のＩＤを得るための幾つかの他の機能に基づいて変換されてもよい。当該塩の価値は、当該第１のＩＤが変換されるたびごとに変化されてもよく、そして複数のＵＥs に割り当てられた複数の第１のＩＤs の間での衝突を避けるために選択されてもよい。他のタイプの付加的な情報（例えば、フレームナンバーのような時間情報）はまた、当該第２のＩＤを発生させるために当該第１のＩＤとともに用いられてもよい。当該第１のＩＤおよび／または当該共有された秘密のデータは、例えば、当該ＵＥに向けてスケジューリングメッセージが送信される際はいつでも更新されてよい（ブロック１０１４）。前の第１のＩＤは、もし当該第１のＩＤの同期化の失敗が検出されるならば用いられてもよく、また現在の第１のＩＤは、もし同期化の失敗が検出されないならば用いられてもよい。
【００５９】
当該ＵＥに宛てられた信号方式のメッセージは、当該第２のＩＤに基づいて発生させられてもよい（ブロック１０１６）。当該信号方式のメッセージは、スケジューリングメッセージ、ページングメッセージ、あるいは幾つかの他のメッセージであってもよく、また信号方式の情報、当該第２のＩＤ、当該塩の価値、等を含んでもよい。当該信号方式のメッセージはまた、もし当該第１のＩＤの同期化の失敗が検出されるならば設定されてもよいフラッグを含んでもよい。当該信号方式のメッセージは、当該ＵＥおよび他の複数のＵＥs によって共有された共通のチャンネルを経由して送信されてもよい（ブロック１０１８）。もし、当該信号方式のメッセージがスケジューリングメッセージであるならば、その際は、当該スケジューリングメッセージ中のスケジューリング情報に基づいてデータ伝送が送信されてもよい。
【００６０】
図１１は、当該複数のＵＥs に向けた複数の当該信号方式のメッセージおよびデータの送信に関する装置１１００を示す。装置１１００は、ＵＥに割り当てられた第１のＩＤ、ならびに、例えば、当該ＵＥに関する塩の価値および／または共有された秘密のデータのような付加的な情報を、当該ＵＥに関する第２のＩＤを得るために変換するための手段（モジュール１１１２）、例えば、当該ＵＥに向けてスケジューリングメッセージが送信される際はいつでも、当該第１のＩＤおよび／または当該共有された秘密のデータを更新するための手段（モジュール１１１４）、当該第２のＩＤに基づいて当該ＵＥに宛てられた信号方式メッセージを発生させるための手段（モジュール１１１６）、当該ＵＥおよび他の複数のＵＥs によって共有された共通のチャンネルを経由して当該信号方式メッセージを送信するための手段（モジュール１１１８）、および当該信号方式メッセージ中のスケジューリング情報に基づいてデータ伝送を送信するための手段（モジュール１１２０）、を含む。複数のモジュール１１１２から１１２０は、複数のプロセッサー、複数の電子デバイス、複数のハードウェアデバイス、複数の電子部品、複数の論理回路、複数のメモリー等、あるいはそれらの任意の組み合わせにより構成されてもよい。
【００６１】
図１２は、無線通信ネットワークから信号方式のメッセージおよびデータの受信に関するＵＥによって実行される処理１２００を示す。メッセージは、複数のＵＥs によって共有された共通のチャンネルを経由して受信されてもよい（ブロック１２１２）。ＵＥに割り当てられた第１のＩＤ、ならびに、例えば、当該ＵＥに関する当該受信したメッセージから得られた塩の価値および／または共有された秘密のデータのような付加的な情報は、当該ＵＥに関する第２のＩＤを得るために変換されてもよい（ブロック１２１４）。当該第１のＩＤは、当該受信したメッセージを送信する当該同じネットワーク要素によって当該ＵＥに割り当てられてもよい。あるいは、当該第１のＩＤは、一つのネットワーク要素によって当該ＵＥに割り当てられてもよく、また当該受信したメッセージは他のネットワーク要素によって送信されてもよい。
【００６２】
当該受信したメッセージが当該ＵＥについて指定されるかどうかが、当該第２のＩＤに基づいて決定されてもよい（ブロック１２１６）。前の第１のＩＤおよび／または現在の第１のＩＤは、当該受信したメッセージ中のフラッグに基づいて変換されてもよい。例えば、当該前の第１のＩＤは前の第２のＩＤを得るために変換されてもよく、これは当該受信したメッセージが当該ＵＥについて指定されるかどうかを決定するために用いられてもよい。もし、当該受信したメッセージが当該前の第２のＩＤと一致しなければ、その際は、当該現在の第１のＩＤが現在の第２のＩＤを得るために変換されてもよく、これは当該受信したメッセージが当該ＵＥについて指定されるかどうかを決定するために用いられてもよい。マッチングはまた、当該現在の第１のＩＤ、そしてそれから当該前の第１のＩＤに対して試みられてもよい。メッセージマッチングにとって、第３のＩＤは、当該受信したメッセージから得られても、また当該受信したメッセージが当該ＵＥについて指定されるかどうかを決定するために当該第２のＩＤと比較されてもよい。当該メッセージマッチングはまた、他の方法において実行されてもよい。当該第１のＩＤおよび／または当該共有された秘密のデータは、例えば、もし、当該受信したメッセージが当該ＵＥについて指定されるならば、更新されてもよい（ブロック１２１８）。
【００６３】
もし、当該受信したメッセージが当該ＵＥについて指定されるスケジューリングメッセージならば、その際は、スケジューリング情報は当該受信したメッセージから得られてもよい（ブロック１２２０）。データ伝送は、当該スケジューリング情報に基づいて処理されてもよい（ブロック１２２２）。
【００６４】
図１３は、複数の当該信号方式のメッセージおよびデータの受信に関する装置１３００を示す。装置１３００は、複数のＵＥs によって共有された共通のチャンネルを経由してメッセージを受信するための手段（モジュール１３１２）、ＵＥに割り当てられた第１のＩＤ、ならびに、例えば、当該ＵＥに関する当該受信したメッセージから得られた塩の価値および／または共有された秘密のデータのような付加的な情報を、当該ＵＥに関する第２のＩＤを得るために変換するための手段（モジュール１３１４）、当該第２のＩＤに基づいて当該受信したメッセージが当該ＵＥについて指定されるかどうかを決定するための手段（モジュール１３１６）、例えば、もし、当該受信したメッセージが当該ＵＥについて指定されるならば、当該第１のＩＤおよび／または当該共有された秘密のデータを更新するための手段（モジュール１３１８）、もし、スケジューリングメッセージが当該ＵＥについて指定されるならば、当該受信したメッセージからスケジューリング情報を得るための手段（モジュール１３２０）、および当該スケジューリング情報に基づいてデータ伝送を処理するための手段（モジュール１３２２）、を含む。複数のモジュール１３１２から１３２２は、複数のプロセッサー、複数の電子デバイス、複数のハードウェアデバイス、複数の電子部品、複数の論理回路、複数のメモリー等、あるいはそれらの任意の組み合わせにより構成されてもよい。
【００６５】
図１４は、図１中のＵＥ１２０、ノードＢ１１０、およびシステムコントローラー１３０のデザインについてのブロックダイアグラムを示す。当該アップリンク上では、ＵＥ１２０によって送信されるデータおよび信号方式はエンコーダー１４２２によって処理され（例えば、フォーマットされる、符号化される、そしてインターリーブされる）、そして複数の出力チップを発生させるために変調器（ＭＯＤ）１４２４によってさらに処理される（例えば、変調される、チャネリングされる、そしてスクランブルされる）。トランスミッター（ＴＭＴＲ）１４３２は、その際、当該複数の出力チップに条件付けし（例えば、アナログに変換する、フィルタリングする、増幅する、そして周波数をアップコンバーターで変換する）、そしてアンテナ１４３４を経由して伝送されるアップリンク信号を発生させる。当該ダウンリンク上では、アンテナ１４３４は、ノードＢ１１０によって伝送されたダウンリンク信号を受信する。受信機（ＲＣＶＲ）１４３６は、アンテナ１４３４からの当該受信信号に条件付けし（例えば、フィルタリングする、増幅する、周波数をダウンコンバーターで変換する、そしてデジタル化する）、そして複数のサンプルを提供する。復調器（ＤＥＭＯＤ）１４２６は、当該複数のサンプルを処理し（例えば、スクランブルを解除する、チャネリングする、そして復調する）、そして複数の符号評価を提供する。デコーダー１４２８は、当該複数の符号評価をさらに処理し（例えば、インターリーブを解除してそして復号する）、そして復号されたデータを提供する。エンコーダー１４２２、変調器１４２４、復調器１４２６、およびデコーダー１４２８は、モデムプロセッサー１４２０によって実施されてもよい。これらの複数のユニットは、当該無線通信ネットワークによって実施される無線技術（例えば、ＬＴＥ、Ｗ−ＣＤＭＡ、等）に従って処理を実行する。
【００６６】
コントローラー／プロセッサー１４４０は、ＵＥ１２０における当該動作を監督する。コントローラー／プロセッサー１４４０は、図５中の処理５００、図６中の処理６００、図７中の処理７００、図８中の処理８００、図１２中の処理１２００、および／またはここで述べられた当該複数の技術に関する他の複数の処理を実行してもよい。メモリー１４４２は、ＵＥ１２０に関する複数のプログラムコードおよびデータを格納し、そしてまたＵＥ１２０に関する複数の長短のＵＥ ＩＤs を格納する。
【００６７】
図１４はまた、ノードＢおよびシステムコントローラー１３０についてのデザインを示す。ノードＢ１１０は、当該複数のＵＥs との通信に関する様々な機能を実行するコントローラー／プロセッサー１４５０、ノードＢ１１０に関する複数のプログラムコードおよびデータを格納するメモリー１４５２、および当該複数のＵＥs との無線通信を支援するトランシーバー１４５４、を含む。コントローラー／プロセッサー１４５０は、図１０中の処理１０００および／またはここで述べられた当該複数の技術に関する他の複数の処理を実行してもよい。メモリー１４５２は、ノードＢ１１０によって供給された当該複数のＵＥs に関する複数の長短のＵＥ ＩＤs 、すなわち複数のＮＢ ＵＥ ＩＤs を格納してもよい。システムコントローラー１３０は、当該複数のＵＥs に関する通信を支援するための様々な機能を実行するコントローラー／プロセッサー１４６０、システムコントローラー１３０に関する複数のプログラムコードおよびデータを格納するメモリー１４６２、を含む。コントローラー／プロセッサー１４６０は、図１０中の処理１００および／またはここで述べられた当該複数の技術に関する他の複数の処理を実行してもよい。メモリー１４６２は、システムコントローラーによって供給された当該複数のＵＥs に関する複数の長短のＵＥ ＩＤs 、すなわち複数のＳＣ ＵＥ ＩＤs を格納してもよい。
【００６８】
ここで述べられた当該複数の技術は、様々な手段によって実施されてもよい。例えば、これらの技術は、ハードウェア、ファームウェア、ソフトウェア、あるいはそれらの組み合わせにおいて実施されてもよい。ハードウェアの実施に関しては、与えられた要素（例えば、ＵＥ、ノードＢ、システムコントローラー、等）における当該複数の技術を実行するために用いられる当該複数の処理ユニットは、一つまたはそれ以上の特定用途向け集積回路（ＡＳＩＣs ）、デジタルシグナルプロセッサー（ＤＳＰs ）、デジタルシグナルプロセッシングデバイス（ＤＳＰＤs ）、プログラム可能論理デバイス（ＰＬＤs ）、書き換え可能ゲートアレイ（ＦＰＧＡs ）、プロセッサー、コントローラー、マイクロ−コントローラー、マイクロプロセッサー、電子デバイス、ここで述べられた当該複数の機能を実行するためにデザインされた他の電子ユニット、一つのコンピューター、あるいはそれらの組み合わせによって実施されてもよい。
【００６９】
ファームウェアおよび／またはソフトウェアの実施に関しては、当該複数の技術は、ここで述べられた当該複数の機能を実行する複数のモジュール（例えば、複数のプロシージャー、複数の機能、等）とともに実施されてもよい。当該複数のファームウェアおよび／またはソフトウェアのコードは、メモリー（例えば、図１４中のメモリー１４４２、１４５２、または１４６２）内に格納され、そしてプロセッサー（例えば、プロセッサー１４４０、１４５０、または１４６０）によって処理されてもよい。当該メモリーは、当該プロセッサーまたは当該プロセッサーの外部の中で実施されてもよい。
【００７０】
当該開示された内容についての当該以上の説明は、当該分野における通常の知識を有する者であれば誰でも、当該開示内容を創作または利用することを可能ならしめるために提供される。これらの当該開示内容に対する様々な変更は、当業者にとっては自明であるとともに、本願明細書中で定義された包括的な（generic）原理は、当該開示内容の趣旨または範囲から逸脱することなく、他のバリエーションに適用されて構わない。したがって、当該開示内容は、ここで述べられた当該複数の例に限定されることを意図するものではなく、ここで開示された原理および新規な特徴と調和する最も広い範囲と調和されるべきものである。
【図面の簡単な説明】
【００７１】
【図１】無線通信ネットワークを示す。
【図２】スケジューリングメッセージおよびデータの伝送を示す。
【図３】複数のＭＡＣ ＩＤs の受信および利用に関するプロセスを示す。
【図４】ＵＥへのスケジューリングメッセージおよびデータの送信に関するプロセスを示す。
【図５】ＵＥにおけるスケジューリングメッセージおよびデータの受信に関するプロセスを示す。
【図６】スケジューリングメッセージおよびデータの受信、ならびに長いＵＥ ＩＤの更新に関するプロセスを示す。
【図７】スケジューリングメッセージおよびデータの受信、ならびに長いＵＥ ＩＤおよび共有された秘密のデータの更新に関するプロセスを示す。
【図８】スケジューリングメッセージおよびデータの受信、ならびに前のＩＤフラッグに基づく長いＵＥ ＩＤおよび共有された秘密のデータの更新に関するプロセスを示す。
【図９】再同期化の仕組みの動作を示す。
【図１０】ＵＥへの信号方式のメッセージおよびデータの送信に関するプロセスを示す。
【図１１】ＵＥへの信号方式のメッセージおよびデータの送信に関する装置を示す。
【図１２】ＵＥにおける信号方式のメッセージおよびデータの受信に関するプロセスを示す。
【図１３】ＵＥにおける信号方式のメッセージおよびデータの受信に関する装置を示す。
【図１４】ＵＥ、ノードＢ、およびシステムコントローラーのブロックダイアグラムを示す。
【図１】
2009526334.tif 000003
【図２】
2009526334.tif 000004
【図３】
2009526334.tif 000005
【図４】
2009526334.tif 000006
【図５】
2009526334.tif 000007
【図６】
2009526334.tif 000008
【図７】
2009526334.tif 000009
【図８】
2009526334.tif 000010
【図９】
2009526334.tif 000011
【図１０】
2009526334.tif 000012
【図１１】
2009526334.tif 000013
【図１２】
2009526334.tif 000014
【図１３】
2009526334.tif 000015
【図１４】
2009526334.tif 000016
【国際調査報告】
2009526334.tif 000017
2009526334.tif 000018
2009526334.tif 000019